(57)【要約】【課題】駆動モータ５１，５２と、この駆動モータの出力軸５１ａ，５１ｂに継手６を介して連結される連結軸４１を一端に有する試験機器４とを備える台上試験装置ＴＭにより、試験機器の他端に連結される供試体Ｔｂの試験を行う際、回転数、トルクや慣性といった各種の試験パラメータを適宜変更できて異なる目的の複数の試験を単一で実施できるようにする。【解決手段】本発明では、出力軸と連結軸とが同芯に整列される方向をＸ軸方向、同一平面内でＸ軸方向に直交する方向をＹ軸方向として、出力軸がＸ軸に平行になるようにＹ軸方向に間隔を存して特性の異なる複数台の駆動モータを設けてモータユニット５とし、試験機器に対してモータユニットを一体にＹ軸方向に相対移動させる移動手段２を更に備え、任意の一台の駆動モータの出力軸を試験機器の連結軸に継手を介して連結自在とする。【選択図】図１
2018197658.tif 000002
【特許請求の範囲】
【請求項１】
駆動モータと、この駆動モータの出力軸に継手を介して連結される連結軸を一端に有する試験機器とを備え、試験機器の他端に連結される供試体の試験を行う台上試験装置において、
出力軸と連結軸とが同芯に整列される方向をＸ軸方向、同一平面内でＸ軸方向に直交する方向をＹ軸方向として、出力軸がＸ軸に平行になるようにＹ軸方向に間隔を存して特性の異なる複数台の駆動モータを設けてモータユニットとし、
試験機器に対してモータユニットを一体にＹ軸方向に相対移動させる移動手段を更に備え、任意の一台の駆動モータの出力軸を試験機器の連結軸に継手を介して連結自在としたことを特徴とする台上試験装置。
【請求項２】
固定ベースと、固定ベース上に設けられてＹ軸方向に移動自在な可動ベースとを備え、可動ベースに、前記モータユニットと前記試験機器とのいずれか一方が設置され、任意の一台の駆動モータの出力軸と試験機器の連結軸とが同心に整列される位置に可動ベースを位置決めする位置決め手段を備えることを特徴とする請求項１記載の台上試験装置。
【請求項３】
前記位置決め手段は、前記可動ベースのＹ軸方向の端部とこの端部に対峙する前記固定ベースの部分とに夫々設けられた、くさび状の突片とこの突片が係合する係合凹部とで構成されることを特徴とする請求項２記載の台上試験装置。
【発明の詳細な説明】
【技術分野】
【０００１】
本発明は、例えば、トランスミッションやデファレンシャルギア等の自動車部品の試験を行うための台上試験装置に関する。
【背景技術】
【０００２】
この種の台上試験装置は例えば特許文献１で知られている。このものは、自動車用エンジンを模擬する駆動モータと、この駆動モータの出力軸に継手を介して連結される連結軸を一端に有するトルクメータ等の試験機器とを備え、試験機器の他端に、トランスミッションやデファレンシャルギア等の自動車部品（以下、「供試体」という）が連結されて供試体に対して各種の試験が行われる。具体的には、例えば、１）エンジンの回転数を模擬するような場合には、回転数が所定範囲（０〜８０００ｒｐｍの範囲）内の一定回転数になるように制御され、２）エンジンのトルクを模擬するような場合には、トルクが所定範囲（０〜１０００Ｎ・ｍの範囲）の一定値になるように制御され、また、３）車重を模擬するような場合には機械慣性（０．５〜５ｋｇ・ｍ２）が調整される。この場合、台上試験装置には、台上試験装置を用いてしようとする試験目的に応じて、回転数、トルクや慣性といった各種の試験パラメータを適宜変更できることが望まれる。
【０００３】
そこで、異なる目的の試験を実施できるように、動力一定領域を広く取れる誘導電動機を使用したり、または、駆動モータに、歯速比の切換機構を持つ歯車装置を備えて連結軸の特性を切り換えて使用することが考えられる。また、慣性については、慣性調整機構を設けて機械的に調整したり、または、電気慣性制御により模擬的に慣性を切り換えることが考えられる。然し、誘導電動機を用いる場合、トルクを優先して駆動モータの機種を選定すると、慣性が大きくなる一方で、慣性を優先してその機種を選定すると、必要なトルクが得られない。他方、歯車装置により連結軸の特性を切り換える場合、歯車装置で減速されるように設計すると、トルクを確保できるものの、高速回転時の試験に対応できない一方で、歯車装置で増速されるように設計すると、高速回転の試験には対応できるものの、必要なトルクを確保できない。更に、慣性に関し、例えば慣性調整機構を設けても駆動モータの慣性以下の慣性は得られないといった制約がある。このように従来の台上試験装置は、複数の異なる試験目的に対応できるものではなく、試験目的毎に駆動モータが選定され、その目的用のものとして製作されていた。
【先行技術文献】
【特許文献】
【０００４】
【特許文献１】特開２０１５−１８４２５８号公報
【発明の概要】
【発明が解決しようとする課題】
【０００５】
本発明は、以上の点に鑑み、回転数、トルクや慣性といった各種の試験パラメータを適宜変更できて異なる目的の複数の試験を単一で実施できる台上試験装置を提供することをその目的とするものである。
【課題を解決するための手段】
【０００６】
上記の課題を解決するために、本発明は、駆動モータと、この駆動モータの出力軸に継手を介して連結される連結軸を一端に有する試験機器とを備え、試験機器の他端に連結される供試体の試験を行う台上試験装置において出力軸と連結軸とが同芯に整列される方向をＸ軸方向、同一平面内でＸ軸方向に直交する方向をＹ軸方向として、出力軸がＸ軸に平行になるようにＹ軸方向に間隔を存して特性の異なる複数台の駆動モータを設けてモータユニットとし、試験機器に対してモータユニットを一体にＹ軸方向に相対移動させる移動手段を更に備え、任意の一台の駆動モータの出力軸を試験機器の連結軸に継手を介して連結自在としたことを特徴とする。
【０００７】
本発明によれば、供試体に対して所定目的の試験を行う場合、移動手段により試験機器に対してモータユニットを一体にＹ軸方向に相対移動させ、任意の一台の駆動モータの出力軸を試験機器の連結軸に継手を介して連結する。そして、他の目的の試験を行うために特性の異なる駆動モータに切り換える場合には、駆動モータの出力軸と連結軸との連結を解除した後、移動手段により試験機器に対してモータユニットを一体にＹ軸方向に相対移動させ、他の駆動モータの出力軸を試験機器の連結軸に継手を介して連結すれば、その駆動モータの特性に応じて回転数、トルクや慣性といった各種の試験パラメータを適宜変更することができる。このように本発明では、特性の異なる複数台の駆動モータを備えるため、単一の台上試験装置によって、低慣性・高速回転・低トルク、大慣性・高速・大トルク、または、中慣性・低速回転・大トルクといった複数の試験パラメータ（条件）で供試体に対して所定目的の試験を行うことができる。
【０００８】
本発明においては、固定ベースと、固定ベース上に設けられてＹ軸方向に移動自在な可動ベースとを備え、可動ベースに、モータユニットと試験機器とのいずれか一方が設置され、任意の一台の駆動モータの出力軸と試験機器の連結軸とが同心に整列される位置に可動ベースを位置決めする位置決め手段を備えることが好ましい。これによれば、特性の異なる駆動モータに切り換えるときに、出力軸と連結軸との芯出しを行う作業等を不要にでき、有利である。
【０００９】
この場合、前記位置決め手段は、可動ベースのＹ軸方向の端部とこの端部に対峙する固定ベースの部分とに夫々設けられた、くさび状の突片とこの突片が係合する係合凹部とで構成されることができる。これによれば、くさび状の突片を係合凹部に係合させるだけで、固定ベースに対して可動ベースがＸ軸方向及びＹ軸方向の二方向で位置決めされるので、駆動モータの切り換え作業を簡素化できる。
【図面の簡単な説明】
【００１０】
【図１】本実施形態の台上試験装置を、第１駆動モータを連結した状態で示す模式平面図。
【図２】本実施形態の台上試験装置を、第２駆動モータを連結した状態で示す模式平面図。
【発明を実施するための形態】
【００１１】
以下、図面を参照して、トランスミッションやデファレンシャルギア等の自動車部品（以下、「供試体Ｔｂ」という）を試験するための本発明の台上試験装置ＴＭの実施形態を説明する。以下においては、後述の出力軸と連結軸とが同芯に整列される方向をＸ軸方向（図１中、左右方向）、同一平面内でＸ軸方向に直交する方向をＹ軸方向（図１中、上下方向）として説明する。
【００１２】
図１及び図２を参照して、ＴＭは、本実施形態の台上試験装置である。台上試験装置ＴＭは、所定面積を有する固定ベース１と、固定ベース１上に設置される、当該固定ベース１より面積の小さい可動ベース２とを備える。固定ベース１の上面一側（図１中、左側）には、Ｙ軸方向にのびる２本のレール部材３，３がＸ軸方向に間隔を存して夫々敷設されている。そして、特に図示して説明しないが、可動ベース２の下面所定位置にはレール部材３，３に摺動自在に夫々係合するスライダが設けられ、図外のアクチュエータにより固定ベース１に対して可動ベース２がＹ軸方向に移動自在となっている。
【００１３】
固定ベース１の上面他側（図１中、右側）には、一端に連結軸４１を有する試験機器４が固定配置されている。試験機器４としては、台上試験装置ＴＭを用いてしようとする試験目的に応じて適宜選定され、本実施形態では、慣性調整機構４２、トルクメータ４３及び軸受装置４４が直列に連結されたものを例示している。これらの機器としては公知のものが利用されるため、ここでは詳細な説明は省略する。そして、試験機器４の他端（図１中、右端）に供試体Ｔｂが連結されている。
【００１４】
可動ベース２の上面にはモータユニット５が設けられている。モータユニット５は特性の異なる２台の駆動モータ５１，５２を有する。例えば、一の駆動モータ５１は同期電動機で構成され、他の駆動モータ５２は誘導電動機で構成され、各駆動モータ５１，５２が、シーケンサ、ドライバやインバータ等を備える制御ユニット５３により制御されるようになっている。そして、両駆動モータ５１，５２は、その出力軸５１ａ，５２ａがＸ軸に夫々平行になるようにＹ軸方向に間隔をおいて可動ベース２上に設置されている。この場合、スライダを有する可動ベース２及びレール部材３，３が試験機器４に対してモータユニット５を一体にＹ軸方向に相対移動させる本実施形態の移動手段を構成し、この移動手段により可動ベース２をＹ軸方向に移動させた後、任意の一台の駆動モータ５１，５２の出力軸５１ａ，５１ｂを試験機器４の連結軸４１に継手６を介して連結自在としている。なお、継手６としては、撓み継手等の公知のものが利用されるため、これ以上の説明は省略する。
【００１５】
また、可動ベース２のＹ軸方向の両端部には可動位置決め部材７ａ，７ｂがＸ軸方向に間隔を存して２個ずつ設けられ、Ｘ軸方向一方の可動位置決め部材７ａと他方の可動位置決め部材７ｂとが同一のＹ軸上に位置するようになっている。各可動位置決め部材７ａ，７ｂは同一の形態を有し、可動ベース２に固定される支持板部７１と、支持板部７１から可動ベース２の外方に向けて突設されたくさび状の突片７２（具体的には、平面視で二等辺三角形の輪郭を持つ三角柱状の部材）とで構成される。また、各突片７２の位置に夫々対応させて固定ベース上面には、固定位置決め部材８ａ，８ｂが設けられている。固定位置決め部材８ａ，８ｂもまた、同一の形態を有し、固定ベース１の所定位置に立設した支持板部８１を有し、各突片７２に夫々正対する支持体部８１の部分には係合凹部８２（具体的には、上記部材を受け入れる傾斜面が形成された凹孔）が形成されている。そして、可動ベース２をＹ軸方向一方に移動させると、各突片７２が各係合凹部８２が夫々係合し、この状態では、一方の駆動モータ５１の出力軸５１ａと連結軸４１とが同芯に整列されるようになっている。本実施形態では、各突片７２と各係合凹部８２とが可動ベース２の位置決め手段を構成する。特に図示して説明しないが、固定ベース１には、可動ベース２の移動を規制するロック機構が設けられ、一方の出力軸５１ａ，５２ａと連結軸４１とが同芯に整列された状態を保持できるようにしている。更に、いずれの駆動モータ５１，５２の出力軸５１ａ，５２ａが連結軸４１と同芯に整列されたかを制御ユニット５３が判別できるように、固定ベース１の所定位置にはマイクロスイッチ等の判別手段９が設けられている。以下に、本実施形態の台上試験装置ＴＭを用いた供試体の試験方法を具体的に説明する。
【００１６】
先ず、供試体Ｔｂを準備し、試験機器４の他端に供試体Ｔｂを連結する。次に、供試体Ｔｂに対して行う試験目的に応じた特性を持つ一の駆動モータ５１，５２をモータユニット５の中から任意に選択する。例えば、一方の駆動モータ５１が選択されると、可動ベース２が固定ベース１に対してＹ軸方向一方（例えば、図１中、上方）に移動される。すると、その移動方向前方に位置する両可動位置決め部材７ａの各突片７２が固定ベース１に設けた両固定位置決め部材８ａの係合凹部８２に夫々係合し、固定ベース１に対して可動ベース２が位置決めされ、ロック機構により可動ベース２が固定される。この状態では、一方の駆動モータ５１の出力軸５１ａと連結軸４１とが同芯に整列され、この状態で継手６を介して出力軸５１ａと連結軸４１とが連結され、試験準備が終了する（図１に示す状態）。この場合、制御ユニット５３が判別手段９により一方の駆動モータ５１の出力軸５１ａが連結軸４１に連結されていることが認識できるようになっている。そして、自動車用エンジンを模擬する一の駆動モータ５１により試験機器４の他端に連結された供試体Ｔｂに対し試験が行われる。
【００１７】
次に、同一の供試体Ｔｂに対して回転数、トルクや慣性といった各種の試験パラメータを適宜変更して他の目的の試験をする場合、その試験目的に応じた特性を持つものが他方の駆動モータ５２である場合には、出力軸５１ａと連結軸４１との連結を解除した後、可動ベース２が固定ベース１に対してＹ軸方向他方（図１中、下方）に移動される。すると、両可動位置決め部材７ｂの各突片７２が両固定位置決め部材８ｂの係合凹部８２に夫々係合し、固定ベース１に対して可動ベース２が位置決めされ、ロック機構により可動ベース２が固定される。この状態では、一方の駆動モータ５２の出力軸５２ａと連結軸４１とが同芯に整列され、この状態で継手６を介して出力軸５２ａと連結軸４１とが連結され、試験準備が終了する（図２に示す状態）。そして、他の駆動モータ５２により試験機器４の他端に連結される供試体Ｔｂに対し他の目的の試験が行われる。
【００１８】
以上によれば、特性の異なる２台の駆動モータ５１，５２を設けたため、単一の台上試験装置ＴＭによって、低慣性・高速回転・低トルク、大慣性・高速・大トルク、または、中慣性・低速回転・大トルクといった複数の試験パラメータ（条件）で供試体Ｔｂに対して異なる目的の複数の試験を行うことができる。この場合、モータユニット５が２台の駆動モータ５１，５２を有するが、試験機器４や各駆動モータ５１，５２の制御ユニット５３は共通するため、試験目的に応じて複数台の台上試験装置を設置する場合に比べてその設置面積を小さくできる。
【００１９】
また、くさび状の突片７２と係合凹部８２とからなる位置決め手段を備えるため、可動ベース２を一方向に移動させ、突片７２と係合凹部８２とを係合させるだけで、固定ベース１に対して可動ベース２がＸ軸方向及びＹ軸方向の二方向で位置決めされるため、特性の異なる駆動モータ５１，５２に切り換えるときに、出力軸５１ａ，５２ａと連結軸４１との芯出しを行う作業等を不要にできて、駆動モータ５１，５２の切り換え作業を簡素化できる。この場合、くさび状の突片７２と係合凹部８２とをＸ軸方向に間隔を存して２か所設けているため、連結軸４１の軸線に対するθ方向の位置ずれも補正される。
【００２０】
以上、本発明の実施形態について説明したが、本発明は上記のものに限定されるものではなく、本発明の技術思想を逸脱しない範囲で適宜変形が可能である。上記実施形態では、モータユニットを構成する特性の異なる駆動モータ５１，５２を２台としたものを例に説明したが、３台以上とすることもできる。また、上記実施形態では、モータユニット５を可動ベース２上に設置したものを例に説明したが、他端に供試体Ｔｂが連結された試験機器４を可動ベース２上に設置し、モータユニット５を固定ベース１上に設置するようにしてもよい。他方、可動ベース２に突片７２、固定ベース１に係合凹部８２を夫々設けたものを例に説明したが、固定ベース１に突片７２、可動ベース２に係合凹部８２を夫々設けるようにしてもよい。
【００２１】
また、上記実施形態では、試験機器４に対してモータユニット５を一体にＹ軸方向に相対移動させる移動手段として、スライダを有する可動ベース２とレール部材３，３とを用いるものを例に説明したが、これに限定されるものではなく、モータユニット５をＹ軸方向に直進性をもって移動できるものであれば、その形態は問わない。また、くさび状の突片７２と係合凹部８２とで位置決め手段を構成するものを例に説明したが、可動ベース２を一方向に移動させると、固定ベース１に対して可動ベース２がＸ軸方向及びＹ軸方向の二方向で位置決めされるものであれば、その形態は問わない。
【符号の説明】
【００２２】
ＴＭ…台上試験装置、１…固定ベース、２…可動ベース（移動手段の構成要素）、４…試験機器、４１…連結軸、５…モータユニット、５１，５２…特性の異なる駆動モータ、５１ａ，５２ａ…出力軸、７２…くさび状の突片、８２…係合凹部、Ｔｂ…供試体。
【図１】
2018197658.tif 000003
【図２】
2018197658.tif 000004